(57)【要約】【課題】  寿司、天ぷら、焼き鳥、豆腐料理、パスタ等の食物を簡単に食することができて、非常に便利であり、その製作を容易かつ安価に行ない得る箸代用食物挾み具を提供する。また、スープや白飯などの形態の整わない食物をすくって食することができて、便利な匙部付きの箸代用食物挾み具を提供する。【解決手段】  食物挾み具１は、平面よりみて長い略Ｕ形の食物挾み具本体２の前部に、寿司などの食物２０の左右両側部を把持する左右食物把持部３，４が設けられ、左右食物把持部３，４の対向面に多数の滑り止め突起５が設けられている。また、挾み具本体２が合成樹脂により一体につくられており、挾み具本体２のＵ形折返し部６の上縁には、板状の補強壁部７が連設せられている。匙部付きの箸代用食物挾み具１は、挾み具本体２のＵ形折返し部６の後端部に、匙部１０がその凹面１１を下向きにして連設せられている。【選択図】    図５
2007020725.tif 000002
【特許請求の範囲】
【請求項１】
平面よりみて長い略Ｕ形の挾み具本体(2)の前部に、食物(20)(21)の左右両側部を把持する左右食物把持部(3)(4)が設けられ、左右食物把持部(3)(4)の対向面に多数の滑り止め突起(5)が設けられていることを特徴とする、箸代用食物挾み具。
【請求項２】
挾み具本体(2)が合成樹脂によってつくられており、挾み具本体(2)のＵ形折返し部(6)の上縁に、板状の補強壁部(7)が連設せられていることを特徴とする、請求項１に記載の箸代用食物挾み具。
【請求項３】
挾み具本体(2)のＵ形折返し部(6)の後端部に、掛止め用フック部(8)が設けられていることを特徴とする、請求項１または２に記載の箸代用食物挾み具。
【請求項４】
挾み具本体(2)が、Ｕ形折返し部(6)に向かって漸次先細となるテーパー状となされており、複数個の箸代用食物挾み具(1)のうち、外側の食物挾み具(1a)に対してこれの内側に、隣り合う食物挾み具(1b)が若干長手方向にずれるように嵌め入れられることにより、複数個の箸代用食物挾み具(1)が順次重ね合わせられるようになされていることを特徴とする、請求項１〜３のうちのいずれか一項に記載の箸代用食物挾み具。
【請求項５】
挾み具本体(2)のＵ形折返し部(6)の後端部に、匙部(10)がその凹面(11)を下向きにして連設せられていることを特徴とする、請求項１に記載の箸代用食物挾み具。
【請求項６】
平面よりみて長い略Ｕ形の挾み具本体(2)が、Ｕ形折返し部(6)を有する金属板製の挾み具本体後半部(2a)と、左右食物把持部(3)(4)を有する合成樹脂製の挾み具本体左右前半部(2b)(2b)とによって構成されており、金属板製の挾み具本体後半部(2a)の左右両先端部に、これらを延長するように合成樹脂製の挾み具本体左右前半部(2b)(2b)が取り付けられていることを特徴とする、箸代用食物挾み具。
【発明の詳細な説明】
【技術分野】
【０００１】
本発明は、例えば寿司、天ぷら、焼き鳥、豆腐料理、パスタ等の食物を食することができる箸代用食物挾み具、さらには、これらの食物だけでなく、スープや白飯などをすくって食することもできる匙部付きの箸代用食物挾み具に関するものである。
【背景技術】
【０００２】
一般に、握り寿司や箱寿司を食する際には、手で寿司を直接持って食べたり、箸を使ったりしているが、本出願人は、先に、下記の特許文献１において、寿司を食する際に、寿司を挟んだ状態で裏返しても、シャリとネタをしっかりと保持できて、ネタが落ちず、ネタに直接醤油を付けることができ、その他、例えば手の指の動きが不自由な人などが、箸の代わりに使用できる寿司挾み具を提案した。
【特許文献１】特開２００１−２５２１６９号公報  特許文献１に開示されている寿司挾み具は、平面よりみて長い略Ｕ形の挾み具本体の先端部に、寿司の左右両側部を把持する左右寿司把持部が設けられ、左右寿司把持部のうちの少なくとも一方の寿司把持部の上縁部に、内方に突出しかつ魚貝等の寿司種の側部上面を押える寿司種押え用凸部が設けられている。
【０００３】
この特許文献１に記載の寿司挾み具によれば、握り寿司や箱寿司等の寿司を挾んだ状態で裏返しても魚貝等の寿司種が落ちず、寿司種に直接醤油を付けることができて、例え子供、老人や障害者であっても、きわめて簡単に、寿司を美味しく正しく食べることができるというものであった。
【発明の開示】
【発明が解決しようとする課題】
【０００４】
本発明の目的は、上記特許文献１に記載の寿司挾み具を、さらに改良した箸代用食物挾み具を提供するもので、寿司だけでなく、その他、天ぷら、焼き鳥、豆腐料理、パスタ等の食物を簡単に食することができて、非常に便利であり、しかも、その製作を容易かつ安価に行なうことができる箸代用食物挾み具を提供すること、さらには、これらの食物だけでなく、スープや白飯などの形態の整わない食物をすくって食することもできる、非常に便利な匙部付きの箸代用食物挾み具を提供することにある。
【課題を解決するための手段】
【０００５】
上記の目的を達成するために、請求項１の発明による箸代用食物挾み具は、平面よりみて長い略Ｕ形の挾み具本体の前部に、食物の左右両側部を把持する左右食物把持部が設けられ、左右食物把持部の対向面に多数の滑り止め突起が設けられていることを特徴としている。
【０００６】
請求項２の発明は、請求項１に記載の箸代用食物挾み具であって、挾み具本体が合成樹脂によってつくられており、挾み具本体のＵ形折返し部の上縁に、板状の補強壁部が連設せられていることを特徴としている。
【０００７】
請求項３の発明は、請求項１または２に記載の箸代用食物挾み具であって、挾み具本体のＵ形折返し部の後端部に、掛止め用フック部が設けられていることを特徴としている。
【０００８】
請求項４の発明は、請求項１〜３のうちのいずれか一項に記載の箸代用食物挾み具であって、挾み具本体が、Ｕ形折返し部に向かって漸次先細となるテーパー状となされており、複数個の箸代用食物挾み具のうち、外側の食物挾み具に対してこれの内側に、隣り合う食物挾み具が若干長手方向にずれるように嵌め入れられることにより、複数個の箸代用食物挾み具が順次重ね合わせられるようになされていることを特徴としている。
【０００９】
請求項５の発明は、請求項１記載の箸代用食物挾み具であって、挾み具本体のＵ形折返し部の後端部に、匙部がその凹面を下向きにして連設せられていることを特徴としている。
【００１０】
請求項６の箸代用食物挾み具の発明は、平面よりみて長い略Ｕ形の挾み具本体が、Ｕ形折返し部を有する金属板製の挾み具本体後半部と、左右食物把持部を有する合成樹脂製の挾み具本体左右前半部とによって構成されており、金属板製の挾み具本体後半部の左右両先端部に、これらを延長するように合成樹脂製の挾み具本体左右前半部が取り付けられていることを特徴としている。
【発明の効果】
【００１１】
請求項１の発明による箸代用食物挾み具は、平面よりみて長い略Ｕ形の挾み具本体の前部に、食物の左右両側部を把持する左右食物把持部が設けられ、左右食物把持部の対向面に多数の滑り止め突起が設けられているものであるから、例えば寿司、天ぷら、焼き鳥、豆腐料理、パスタ等の食物を食する際に、これらの食物を箸代用食物挾み具の左右食物把持部によって挾んでも、多数の滑り止め突起の作用により滑り落ちるようなことがなく、これらの食物を確実に口に運んで非常に簡単に食することができて、非常に便利であるという効果を奏する。
【００１２】
請求項２の発明は、請求項１に記載の箸代用食物挾み具であって、挾み具本体が合成樹脂によってつくられており、挾み具本体のＵ形折返し部の上縁に、板状の補強壁部が連設せられているもので、本発明によれば、箸代用食物挾み具の製作を、合成樹脂の一体成形により容易に行なうことができ、しかも挾み具本体のＵ形折返し部の上縁に板状の補強壁部が連設せられているから、Ｕ形折返し部は充分な強度を有するうえに、補強壁部は板状であるから、使用材料が少なくてすみ、従って材料費が安くつき、製作コストが安価であるという効果を奏する。
【００１３】
請求項３の発明は、請求項１または２に記載の箸代用食物挾み具であって、挾み具本体のＵ形折返し部の後端部に、掛止め用フック部が設けられているから、箸代用食物挾み具の不使用時に、そのフック部を例えばキッチンの棚に掛け止めて、箸代用食物挾み具を簡単に保持することができるし、あるいはまたキャンプなどの野外活動において、調理などのために即席に設置したテーブルの横に吊り紐を張り渡しておき、この吊り紐に上記フック部を引っ掛けて、箸代用食物挾み具を簡単に保持することができるなど、非常に便利である。
【００１４】
請求項４の発明は、請求項１〜３のうちのいずれか一項に記載の箸代用食物挾み具であって、挾み具本体が、Ｕ形折返し部に向かって漸次先細となるテーパー状となされており、複数個の箸代用食物挾み具のうち、外側の食物挾み具に対してこれの内側に、隣り合う食物挾み具が若干長手方向にずれるように嵌め入れられることにより、複数個の箸代用食物挾み具が順次重ね合わせられるようになされているもので、本発明によれば、複数個の箸代用食物挾み具を重ね合わせ状態にまとめることができ、洗浄後の格納の際に、あるいは箸代用食物挾み具の商品の包装や搬送の際にかさ張らず、省スペース化が可能であり、特に包装の際には、例えば３〜２０個をまとめてかつコンパクトに包装した状態で販売することができて、包装用材料や手間が少なくてすみ、非常に経済性が高いし、また搬送時には、搬送車荷台の単位空間当たりの搬送量を多くすることができて、搬送コストを低減することができるという効果を奏する。
【００１５】
請求項５の発明は、請求項１記載の箸代用食物挾み具であって、挾み具本体のＵ形折返し部の後端部に、匙部がその凹面を下向きにして連設せられているもので、本発明によれば、挾み具本体のＵ形折返し部の後端部に設けた匙部によってスープや白飯などの形態の整わない食物をすくって食することもできるため、いわゆるスプーンの代用にもなり、例えば野外キャンプなどに携帯すると、非常に便利であるという効果を奏する。
【００１６】
請求項６の箸代用食物挾み具の発明は、平面よりみて長い略Ｕ形の挾み具本体が、Ｕ形折返し部を有する金属板製の挾み具本体後半部と、左右食物把持部を有する合成樹脂製の挾み具本体左右前半部とによって構成されており、金属板製の挾み具本体後半部の左右両先端部に、これらを延長するように合成樹脂製の挾み具本体左右前半部が取り付けられているもので、本発明によれば、Ｕ形折返し部を有する挾み具本体後半部が安価な金属板製であり、一方、挾み具本体の左右前半部が合成樹脂製であるから、箸代用食物挾み具の材料費が非常に安くつき、しかもＵ形折返し部を有する挾み具本体後半部が金属板製であるため、充分な強度を有しており、反復使用に耐えることができて、耐用性に優れているという効果を奏する。
【発明を実施するための最良の形態】
【００１７】
つぎに、本発明の実施の形態を、図面を参照して説明するが、本発明はこれらに限定されるものではない。
【００１８】
この明細書において、左右、前後、及び上下は、図３を基準とし、左とは図３の下側、右とは同上側をいゝ、また前とは同図の左側、後とは同右側をいゝ、さらに上とは同図の図面紙葉の表側、下とは同裏側をいうものとする。
【００１９】
図１〜図８は、本発明の箸代用食物挾み具の第１実施形態を示すものである。図１〜図６を参照すると、本発明による食物挾み具(1)は、平面よりみて長い略Ｕ形の食物挾み具本体(2)の前部に、寿司などの食物(20)の左右両側部を把持する左右食物把持部(3)(4)が設けられ、左右食物把持部(3)(4)の対向面に多数の滑り止め突起(5)が設けられている。なお、本発明による食物挾み具(1)は、例えばポリプロピレン、ポリエチレン、あるいはまたＡＢＳ樹脂等の合成樹脂製であり、長い略Ｕ形の食物挾み具本体(2)は、素材の弾性により、これの左右食物把持部(3)(4)が寿司の幅もしくはこれよりもやゝ広い幅に、常に開くようになされている。
【００２０】
そして、この第１実施形態では、箸代用食物挾み具(1)の挾み具本体(2)が上記合成樹脂により一体につくられており、挾み具本体(2)のＵ形折返し部(6)の上縁には、板状の補強壁部(7)が連設せられている。
【００２１】
その他、左右食物把持部(3)(4)のそれぞれ上縁部には、内方に突出しかつ寿司(20)の魚貝等の寿司種（ネタ）(20a)の側部上面を押える寿司種押え用凸部(9)(9)が設けられている。
【００２２】
ここで、本発明による箸代用食物挾み具(1)は、図２に示すように、挾み具本体(2)のＵ形折返し部(6)を有する挾み具本体後半部(2a)に対して、挾み具本体(2)の前部の左右食物把持部(3)(4)の角度（θ）が３５〜４５°であり、左右食物把持部(3)(4)が、挾み具本体後半部(2a)に対して前方上向きに傾斜している。
【００２３】
図７は、本発明の箸代用食物挾み具(1)により寿司（食物）(20)を挾んだ状態を示している。また図８は、本発明の箸代用食物挾み具(1)によりガリ（生姜）（食物）(21)を挾んだ状態を示している。
【００２４】
なお、本発明による箸代用食物挾み具(1)の大きさは、長さ１０〜１７ｃｍ、幅３〜５ｃｍ、高さ１．５〜２．５ｃｍ程度である。
【００２５】
本発明の箸代用食物挾み具(1)によれば、左右食物把持部(3)(4)の対向面に多数の滑り止め突起(5)が設けられていることにより、例えば寿司、天ぷら、焼き鳥、豆腐料理、パスタ等の食物を食する際に、これらの食物を箸代用食物挾み具(1)の左右食物把持部(3)(4)によって挾んでも、多数の滑り止め突起(5)の作用により滑り落ちるようなことがなく、これらの食物を確実に口に運んで非常に簡単に食することができて、非常に便利である。
【００２６】
また、このような本発明の箸代用食物挾み具(1)の製作を、合成樹脂の一体成形により容易に行なうことができ、しかも挾み具本体(2)のＵ形折返し部(6)の上縁に板状の補強壁部(7)が連設せられているから、Ｕ形折返し部(6)は充分な強度を有するうえに、補強壁部(7)は板状であるから、使用材料が少なくてすみ、これによって箸代用食物挾み具(1)の材料費が安くつき、製作コストが安価である。
【００２７】
さらに、本発明による箸代用食物挾み具(1)では、挾み具本体(2)前部の左右食物把持部(3)(4)が、挾み具本体後半部(2a)に対して前方上向きに傾斜しているため、食物挾み具(1)の取扱いが容易であるとともに、食物(20)(21)を口に運ぶ際に、運びやすく、非常に簡単に食することができて、非常に便利であるという利点がある。
【００２８】
図７に示すように、本発明の箸代用食物挾み具(1)により寿司(20)を挾んだ状態では、シャリとネタ寿司種（ネタ）(20a)をしっかりと保持できるため、例えば寿司を挟んだ状態で裏返しても、寿司種（ネタ）(20a)が落ちず、寿司種（ネタ）(20a)に直接醤油を付けることができる。その他、例えば手の指の動きが不自由な人などが、箸の代用として使用できるものである。また、図８に示すように、本発明の箸代用食物挾み具(1)によれば、ガリ（生姜）(21)等の薄い切片を挾んで食することもできる。
【００２９】
ところで、図９に示すように、本発明による箸代用食物挾み具(1)は、挾み具本体(2)が、Ｕ形折返し部(6)に向かって漸次先細となるテーパー状となされていて、例えば３個の箸代用食物挾み具(1a)(1b)(1c)のうち、外側の第１の食物挾み具(1a)に対してこれの内側に、隣り合う第２の食物挾み具(1b)が若干長手方向にずれるように嵌め入れられ、この内側の食物挾み具(1b)に対して、さらに内側に隣り合う第３の食物挾み具(1c)が若干長手方向にずれるように嵌め入れられることにより、結局、３個の箸代用食物挾み具(1a)(1b)(1c)が順次重ね合わせられるようになされている。
【００３０】
このような本発明の箸代用食物挾み具(1)によれば、複数個の箸代用食物挾み具(1)を重ね合わせ状態にまとめることができる。従って、例えば洗浄後の格納の際、あるいは箸代用食物挾み具(1)の商品の包装や搬送の際にかさ張らず、省スペース化が可能である。特に、箸代用食物挾み具(1)の商品の包装の際には、例えば３〜２０個をまとめてかつコンパクトに包装した状態で販売することができて、包装用材料や手間が少なくてすみ、非常に経済性が高い。また、箸代用食物挾み具(1)の商品の搬送時には、搬送車荷台の単位空間当たりの搬送量を多くすることができて、箸代用食物挾み具(1)の搬送コストを低減することができる。
【００３１】
つぎに、図１０と図１１は、本発明の第２実施形態を示すものである。ここで、上記第１実施形態の場合と異なる点は、箸代用食物挾み具(1)の挾み具本体(2)のＵ形折返し部(6)の後端部に、掛止め用フック部(8)が設けられている点にある。
【００３２】
このような第２実施形態による箸代用食物挾み具(1)によれば、不使用時に、そのフック部(8)を例えばキッチンの棚に掛け止めて、箸代用食物挾み具(1)を簡単に保持することができるし、あるいはまたキャンプなどの野外活動において、調理などのために即席に設置したテーブルの横に吊り紐を張り渡しておき、この吊り紐に上記フック部(8)を引っ掛けて、箸代用食物挾み具(1)を簡単に保持することができるなど、非常に便利である。
【００３３】
この第２実施形態のその他の点は、上記第１実施形態の場合と同様であるので、図面において同一のものには同一の符号を付した。
【００３４】
図１２と図１３は、本発明の第３実施形態を示すものである。ここで、上記第１実施形態の場合と異なる点は、箸代用食物挾み具(1)の挾み具本体(2)のＵ形折返し部(6)を有する挾み具本体後半部(2a)と、挾み具本体(2)の前部の左右食物把持部(3)(4)とが、略直線状に連なっている点、および左右食物把持部(3)(4)のそれぞれ上縁部に、内方に突出した寿司種押え用凸部(9)(9)が設けられていない点にある。
【００３５】
この第３実施形態のその他の点、すなわち、箸代用食物挾み具(1)の長い略Ｕ形の挾み具本体(2)前部の左右食物把持部(3)(4)の対向面に多数の滑り止め突起(5)が設けられている点、箸代用食物挾み具(1)の挾み具本体(2)が合成樹脂により一体につくられており、挾み具本体(2)のＵ形折返し部(6)の上縁に、板状の補強壁部(7)が連設せられている点は、上記第１実施形態の場合と同様である。
【００３６】
このような第３実施形態による箸代用食物挾み具(1)によれば、上記第１実施形態の場合と同様に、寿司、天ぷら、焼き鳥、豆腐料理、パスタ等の食物を食する際に、これらの食物を箸代用食物挾み具(1)の左右食物把持部(3)(4)によって挾むと、左右食物把持部(3)(4)の対向面に設けられた多数の滑り止め突起(5)の作用により、パスタ等の食物が滑り落ちるようなことがなく、これらの食物を確実に口に運んで非常に簡単に食することができて、非常に便利である。
【００３７】
また、合成樹脂により一体につくられた挾み具本体(2)のＵ形折返し部(6)の上縁には、板状の補強壁部(7)が連設せられているため、箸代用食物挾み具(1)の製作を、合成樹脂の一体成形により容易に行なうことができ、しかも挾み具本体(2)のＵ形折返し部(6)の上縁に板状の補強壁部(7)が連設せられているから、Ｕ形折返し部(6)は充分な強度を有するものである。そのうえ、補強壁部(7)は板状であるから、使用材料が少なくてすみ、これによって箸代用食物挾み具(1)の材料費が安くつき、製作コストが安価である。
【００３８】
この第３実施形態のその他の点は、上記第１実施形態の場合と同様であるので、図面において同一のものには同一の符号を付した。
【００３９】
つぎに、図１４〜図２３は、本発明の第４実施形態を示すものである。ここで、上記第１実施形態の場合と異なる点は、箸代用食物挾み具(1)の挾み具本体(2)のＵ形折返し部(6)の後端部に、匙部(10)がその凹面(11)を下向きにして連設せられている点にある。
【００４０】
このような第４実施形態による箸代用食物挾み具(1)によれば、上記第１実施形態の場合と同様に、例えば図２１に示すように、本発明の箸代用食物挾み具(1)により寿司(20)を挾んだ状態では、シャリとネタ寿司種（ネタ）(20a)をしっかりと保持できるため、例えば寿司を挟んだ状態で裏返しても、寿司種（ネタ）(20a)が落ちず、寿司種（ネタ）(20a)に直接醤油を付けることができる。その他、例えば手の指の動きが不自由な人などが、箸の代用として使用できるものである。また、図２２に示すように、第４実施形態による箸代用食物挾み具(1)によれば、ガリ（生姜）(21)等の薄い切片を挾んで食することもできる。
【００４１】
そして、このような箸の代わりに使用することができるだけでなく、図２３に示すように、食物挾み具(1)の後端部に設けた匙部(10)によって、白飯（食物）(22)、あるいはスープ（図示略）などの形態の整わない食物をすくって食することもできるため、いわゆるスプーンの代用にもなり、例えば野外キャンプなどに携帯すると、非常に便利である。
【００４２】
本発明の第４実施形態による箸代用食物挾み具(1)の大きさは、その長さが若干大きい目で、長さ１０〜２０ｃｍであり、幅３〜５ｃｍ、高さ１．５〜２．５ｃｍ程度である。
【００４３】
この第４実施形態のその他の点は、上記第１実施形態の場合と同様であるので、図面において同一のものには同一の符号を付した。
【００４４】
つぎに、図２４〜図２６は、本発明の第５実施形態を示すものである。ここで、上記第１実施形態の場合と異なる点は、箸代用食物挾み具(1)の平面よりみて長い略Ｕ形の挾み具本体(2)が、Ｕ形折返し部(6)を有するステンレス鋼等の金属板製の挾み具本体後半部(2a)と、左右食物把持部(3)(4)を有する合成樹脂製の挾み具本体左右前半部(2b)(2b)とによって構成されており、挾み具本体後半部(2a)の左右両先端部に、挾み具本体左右前半部(2b)(2b)が接続されている点にある。
【００４５】
具体的には、この第５実施形態では、挾み具本体後半部(2a)の左右両先端部に、互いに平行な２つの差込み用凸部(12)(12)が設けられ、これらの差込み用凸部(12)(12)が挾み具本体左右前半部(2b)(2b)の各後端部に、合成樹脂の一体成形により埋め込まれることにより、挾み具本体後半部(2a)の左右両先端部に、挾み具本体左右前半部(2b)(2b)が接続されているものである。
【００４６】
なお、このような挾み具本体後半部(2a)と、挾み具本体左右前半部(2b)(2b)との接続構造は、図示のものに限定されず、その他接着剤による接着、あるいは凹凸嵌合方式、嵌合わせ構造と接着の併用などの接続構造であっても良い。
【００４７】
そして、このような第５実施形態による箸代用食物挾み具(1)によれば、Ｕ形折返し部(6)を有する挾み具本体後半部(2a)が、安価な金属板製であり、一方、挾み具本体の左右前半部が合成樹脂製であるから、箸代用食物挾み具の材料費が非常に安くつき、しかもＵ形折返し部を有する挾み具本体後半部が金属板製であるため、充分な強度を有しており、反復使用に耐えることができて、耐用性に優れているものである。
【００４８】
この第５実施形態のその他の点は、上記第１実施形態の場合と同様であるので、図面において同一のものには同一の符号を付した。
【図面の簡単な説明】
【００４９】
【図１】本発明の第１実施形態を示す箸代用食物挾み具の概略斜視図である。
【図２】同箸代用食物挾み具の左側面図である。
【図３】同箸代用食物挾み具の平面図である。
【図４】同箸代用食物挾み具の底面図である。
【図５】図１のＡーＡ線に沿う断面図である。
【図６】図１のＢーＢ線に沿う断面図である。
【図７】図１の箸代用食物挾み具により寿司を挾んだ使用状態を示す平面図である。
【図８】同箸代用食物挾み具によりガリを挾んだ使用状態を示す平面図である。
【図９】同箸代用食物挾み具を３個重ね合わせた状態を示す平面図である。
【図１０】本発明の箸代用食物挾み具の第２実施形態を示す底面図である。
【図１１】図１０のＣーＣ線に沿う断面図である。
【図１２】本発明の第３実施形態を示す箸代用食物挾み具の縦断面図で、これは図１３のＤーＤ線に沿うものである。
【図１３】同箸代用食物挾み具の底面図である。
【図１４】本発明の第４実施形態を示す匙部付きの箸代用食物挟み具の概略斜視図である。
【図１５】同匙部付きの箸代用食物挟み具の左側面図である。
【図１６】同匙部付きの箸代用食物挟み具の平面図である。
【図１７】同匙部付きの箸代用食物挟み具の底面図である。
【図１８】図１６のＥーＥ線に沿う断面図である。
【図１９】図１６のＦーＦ線に沿う断面図である。
【図２０】図１６のＧーＧ線に沿う断面図である。
【図２１】図１４の匙部付き箸代用食物挾み具により寿司を挾んだ使用状態を示す平面図である。
【図２２】同匙部付き箸代用食物挾み具によりガリを挾んだ使用状態を示す平面図である。
【図２３】同匙部付きの箸代用食物挟み具の匙部により白飯をすくって食する使用状態を示す側面図である。
【図２４】本発明の第５実施形態を示す箸代用食物挾み具の底面図である。
【図２５】図２４のＨーＨ線に沿う断面図である。
【図２６】図２５のＩーＩ線に沿う拡大断面図である。
【符号の説明】
【００５０】
１    食物挾み具
２    長い略Ｕ形の挾み具本体
２ａ  挾み具本体後半部
２ｂ  挾み具本体前半部
３    左食物把持部
４    右食物把持部
５    滑り止め突起
６    Ｕ形折返し部
７    板状の補強壁部
８    掛止め用フック部
１０  匙部
１１  その凹面
２０  寿司（食物）
２１  ガリ（生姜）（食物）
２２  白飯（食物）
【図１】
2007020725.tif 000003
【図２】
2007020725.tif 000004
【図３】
2007020725.tif 000005
【図４】
2007020725.tif 000006
【図５】
2007020725.tif 000007
【図６】
2007020725.tif 000008
【図７】
2007020725.tif 000009
【図８】
2007020725.tif 000010
【図９】
2007020725.tif 000011
【図１０】
2007020725.tif 000012
【図１１】
2007020725.tif 000013
【図１２】
2007020725.tif 000014
【図１３】
2007020725.tif 000015
【図１４】
2007020725.tif 000016
【図１５】
2007020725.tif 000017
【図１６】
2007020725.tif 000018
【図１７】
2007020725.tif 000019
【図１８】
2007020725.tif 000020
【図１９】
2007020725.tif 000021
【図２０】
2007020725.tif 000022
【図２１】
2007020725.tif 000023
【図２２】
2007020725.tif 000024
【図２３】
2007020725.tif 000025
【図２４】
2007020725.tif 000026
【図２５】
2007020725.tif 000027
【図２６】
2007020725.tif 000028